(57)【要約】      （修正有）【課題】  下水汚泥から再生又は製造される製品に関する、製品化技術情報、製品情報、物流情報、利用技術情報、及び利用者情報を一元管理し、それら情報をコンピュータネットワークを介して広く一般に開示し、製品を購入した利用者が製品の製造履歴につき、追跡ならびに確認することを実現する。【解決手段】台紙に貼り付けた所定の帳票枚数分の同一ロット番号を記載した、事業者確認シール兼ロット番号シール9を、所定の帳票と現品あるいは現品に添付された荷札に順次貼りつけ、製品購入者が、製品の瑕疵に気づき、製品の履歴又は製造事業者、排出事業者を特定したいと欲した場合には、自己、あるいは販売事業者又はその他が所有するインターネット接続端末から、当該事業者がインターネット上に掲載する検索用ホームページにアクセスして、前記シール9に記載された事業者コード10とロット番号11を入力することにより、該製品の履歴情報を得る。【選択図】図２
2005149448.tif 000002
【特許請求の範囲】
【請求項１】
下水汚泥の排出事業者情報と、下水汚泥の製品化技術情報と、下水汚泥を利用した製品情報と、該製品の物流情報と、該製品の利用技術情報と、該製品の利用者情報と、該製品の公募入札情報とを収集し、保存し、提供するサーバーコンピュータと、及び情報格納手段と、及びコンピュータネットワークと、コンピュータネットワーク上に敷設された前記情報を入力し、表示し、出力する端末装置と、
下水汚泥の排出者を特定するために、排出事業者に付与された識別コードと、該排出事業者によって管理されているロット番号を併記した、複数枚の管理帳票への貼付用排出事業者識別コード兼ロット番号管理シール（以下、排出事業者管理シールと称す）と、
下水汚泥を材料、又は原料として加工又は新たな製品の製造をおこなった事業者を特定するために、加工又は新たな製品の製造をおこなった事業者（以下、製造事業者と記す）に付与された識別コードと該製造事業者によって管理されているロット番号を併記した、複数枚の管理帳票への貼付用製造事業者識別コード兼ロット番号管理シール（以下、製造事業者管理シールと称す）とを備え、
前記下水汚泥排出事業者情報は、汚泥排出事業者名、及びその所在地、及び排出された期日とその時間あるいは任意の単位ごとの排出量とその含有成分の内訳であって、
前記下水汚泥の製品化技術情報は、前記事業を営もうとする当該事業者、すなわち、前記情報を収集し、保存し、提供するサーバーコンピュータ、及びコンピュータネットワーク、及び情報格納手段を運用管理しようとする者に寄せられた、下水汚泥の加工又は製造に関する技術情報、あるいはそれを有しているとする事業者の情報であって、
前記下水汚泥を利用した製品情報は、下水汚泥を材料あるいは原料として、加工し、あるいは新たな製品を製造した事業者名、及びその所在地、及び製品名、及び加工又は製造された期日とその時間あるいは任意の単位ごとの数量であって、
前記下水汚泥製品の物流情報は、排出汚泥又は汚泥製品の取り扱い事業者名あるいは販売事業者名、及びその所在地であって、
前記下水汚泥製品の利用技術情報は、製造事業者、あるいは顧客、あるいは製品の利用者又はその他の者から当該事業者に寄せられた利用事例であって、
前記下水汚泥製品の利用者情報は、下水汚泥製品を購入又は利用している、顧客名あるいは大口需要家名、及びその所在地、及び購入あるいは利用している製品名及びその数量、及び購入日あるいは利用開始日であって、
前記公募入札情報は、下水汚泥製品あるいは下水汚泥製品であっても代替することをなし得るとされる製品の購入に関する入札方式による購入事案情報であって、公募入札事業主体名、案件名、入札日、入札条件であることを特徴とする汚泥製品情報管理システム。
【請求項２】
請求項１記載の汚泥製品情報管理システムであって、請求項１記載の排出事業者管理シールは、同一ロットごとに所定の帳票枚数分作成され、耐候性のある表面と糊塗された裏面を有するものであることを特徴とする汚泥製品情報管理システム。
【請求項３】
請求項１記載の汚泥製品情報管理システムであって、請求項１記載の製造事業者管理シールは、同一ロットごとに所定の帳票枚数分作成され、耐候性のある表面と糊塗された裏面を有するものであることを特徴とする汚泥製品情報管理システム。
【請求項４】
請求項１記載の汚泥製品情報管理システムであって、前記サーバーコンピュータは、コンピュータネットワーク上に敷設された端末装置から入力された、排出事業者管理シールに記載された排出事業者識別コード及びロット番号に対応するデータを、あるいは製造事業者管理シールに記載された製造事業者識別コード及びロット番号に対応するデータを情報格納手段から取り出して、該端末装置に送信するものであることを特徴とする汚泥製品情報管理システム。
【請求項５】
請求項１記載の汚泥製品情報管理システムであって、請求項１、請求項２記載の排出事業者管理シール、あるいは請求項１、請求項３記載の製造事業者管理シールに代えて、ＲＦ−ＩＤチップを埋設あるいは貼り付けた帳票と荷札を使用するものであることを特徴とする汚泥製品情報管理システム。
【発明の詳細な説明】
【技術分野】
【０００１】  下水汚泥利用に関する。
【背景技術】
【０００２】  主に地方自治体が管理する下水道処理施設から排出される膨大な量の汚泥は、その利用技術がまだ十分に確立されていないばかりでなく、それらを活用するための提案された再製品化技術、利用技術に関する情報が全国規模での交換がおこなわれていたり、一元管理がなされているという状況にない。【０００３】  また、一般に対しても汚泥から再生又は製造された製品の存在の告知は広くなされているとはいえない状況にあり、該製品に関する情報を一般にも開示し、頒布することが早急に求められている。
【発明の開示】
【発明が解決しようとする課題】
【０００４】  下水汚泥から再生又は製造される製品に関する、製品化技術情報、製品情報、物流情報、利用技術情報、及び利用者情報を一元管理して、それら情報をコンピュータネットワークを介して広く一般に開示し、製品を購入した利用者が製品の製造履歴につき、随時、コンピュータネットワークによって、追跡ならびに履歴を確認することが可能なものとする。
【課題を解決しようとする手段】
【０００５】  請求項１記載の発明は、下水汚泥の排出情報と、下水汚泥の製品化技術情報と、下水汚泥を利用した製品情報と、該製品の物流情報と、該製品の利用技術情報と、該製品の利用者情報と、該製品の入札公募情報とを収集し、保存し、提供するサーバーコンピュータと、及び情報格納手段と、及びコンピュータネットワークと、コンピュータネットワーク上に敷設された前記情報を入力し、表示し、出力する端末装置と、
下水汚泥の排出者を特定するために、排出事業者に付与された識別コードと、該排出事業者によって管理されているロット番号を併記した、複数枚の管理帳票への貼付用排出事業者識別コード兼ロット番号管理シール（以下、排出事業者管理シールと称す）と、
下水汚泥を材料、又は原料として加工又は新たな製品の製造をおこなった事業者を特定するために、加工又は新たな製品の製造をおこなった事業者（以下、製造事業者と記す）に付与された識別コードと該製造事業者によって管理されているロット番号を併記した、複数枚の管理帳票への貼付用製造事業者識別コード兼ロット番号管理シール（以下、製造事業者管理シールと称す）とを備え、
前記下水汚泥排出情報は、汚泥排出事業者名、及びその所在地、及び排出された期日とその時間あるいは任意の単位ごとの排出量とその含有成分の内訳であって、
前記下水汚泥の製品化技術情報は、前記事業を営もうとする当該事業者、すなわち、前記情報を収集し、保存し、提供するサーバーコンピュータ、及びコンピュータネットワーク、及び情報格納手段を運用管理しようとする者に寄せられた、下水汚泥の加工又は製造に関する技術情報、あるいはそれを有しているとする事業者の情報であって、
前記下水汚泥を利用した製品情報は、下水汚泥を材料あるいは原料として、加工し、あるいは新たな製品を製造した事業者名、及びその所在地、及び製品名、及び加工又は製造された期日とその時間あるいは任意の単位ごとの数量であって、
前記下水汚泥製品の物流情報は、排出汚泥又は汚泥製品の取り扱い事業者名あるいは販売事業者名、及びその所在地であって、
前記下水汚泥製品の利用技術情報は、製造事業者、あるいは顧客、あるいは製品の利用者又はその他の者から当該事業者に寄せられた利用事例であって、
前記下水汚泥製品の利用者情報は、下水汚泥製品を購入又は利用している、顧客名あるいは大口需要家名、及びその所在地、及び購入あるいは利用している製品名及びその数量、及び購入日あるいは利用開始日であって、
前記公募入札情報は、下水汚泥製品あるいは下水汚泥製品であっても代替することをなし得るとされる製品の購入に関する入札方式による購入事案情報であって、公募入札事業主体名、案件名、入札日、入札条件であるよう構成される。
【０００６】  請求項２記載の発明は、請求項１記載の排出事業者管理シールは、同一ロットごとに所定の帳票枚数分作成され、排出事業者コードと該排出事業者が管理するロット番号が、目視可能な記号と、任意に機械可読な記号、例えば、バーコードによって併記された耐候性のある表面と糊塗された裏面を有するものであるよう構成される。
【０００７】  請求項３記載の発明は、請求項１記載の製造事業者管理シールは、同一ロットごとに所定の帳票枚数分作成され、製造事業者コードと該製造事業者が管理するロット番号が、目視可能な記号と、任意に機械可読な記号、例えば、バーコードによって併記された耐候性のある表面と糊塗された裏面を有するものであるよう構成される。
【０００８】  請求項４記載の発明は、前記サーバーコンピュータは、コンピュータネットワーク上に敷設された端末装置から入力された、排出事業者管理シールに記載された排出事業者識別コード及びロット番号に対応するデータを、あるいは製造事業者管理シールに記載された製造事業者識別コード及びロット番号に対応するデータを情報格納手段から取り出して、該端末装置に送信するものであるよう構成される。
【０００９】  請求項５記載の発明は、請求項１、請求項２記載の排出事業者管理シール、あるいは請求項１、請求項３記載の製造事業者管理シールに代えて、それぞれの帳票及び荷札、あるいは製品に、排出事業者コード及びロット番号、あるいは製造事業者コード及びロット番号に相当するデータを記憶させたＲＦ−ＩＤチップを埋設あるいは貼り付けたものを、専用の書き込み、読み出し器を使用して、事業者及びロットを識別するものであるよう構成される。
【発明の効果】
【００１０】  上記のように構成されているので、排出された汚泥を材料あるいは原料としている加工事業者又は製造事業者は、購入した汚泥の排出事業者とそのロット番号を、汚泥の加工品あるいは製品を購入した最終需要者は、排出事業者とそのロット番号、及び加工事業者あるいは製造事業者とそのロットを、コンピュータネットワークを介して、随時確認することが実現できるばかりでなく、広く一般に汚泥製品の情報を開示することによって、需要を喚起して、高度な資源再循環社会の実現に貢献するものである。
【発明を実施するための最良の形態】
【００１１】  一枚の台紙、例えば、剥離紙等に貼り付けた現品貼付分あるいは荷札貼付分を含めた、所定の帳票枚数分の同一ロット番号を記載した、前記事業者確認シール兼ロット番号シールを、所定の帳票、例えば、製造指示書、納品書、物品受領書、請求書等に順次貼りつけ、さらに、現品あるいは現品に添付された荷札に貼りつけ、製品を購入した者が、製品の瑕疵に気づき、該製品の履歴又は製造事業者、排出事業者を特定したいと欲した場合には、自己が所有する、インターネット接続端末あるいは、販売事業者又はその他が所有するインターネット接続端末から、当該事業者がインターネット上に掲載する検索用ホームページにアクセスして、前記シールに記載された事業者コードとロット番号を入力することにより、当該事業者が管理するサーバーコンピュータから、入力された事業者コードとロット番号に対応する履歴情報をインターネット接続端末に送信して、該製品の購入者は製品の履歴情報を得られるよう構成する。
【実施例１】
【００１２】  以下、本発明の実施の形態を図にもとづいて説明する。
図１は情報格納手段、いわゆる記憶装置内のファイル構造であって、排出事業者情報１、製品化技術情報２、製品情報３、物流情報４、利用技術情報５、利用者または顧客情報６から構成され、排出事業者情報１には汚泥排出事業者名、その所在地、連絡先、該排出事業者が管理するロット番号ごとのロット履歴が記録されている。【００１３】  製品化技術情報２には、汚泥の加工技術、再生して新たな製品とする製造技術、あるいはそれらの技術を有しているとされる者の連絡先が記録される。【００１４】  製品情報３には、汚泥を加工した半製品名や、製造された最終製品名、及びそれらを加工又は製造した事業者名、連絡先、該事業者が管理するロット番号ごとのロット履歴が記録される。【００１５】  物流情報４には、製品ごとの販売事業者名又は取扱者名、及びその連絡先が記入される。【００１６】  利用技術情報５には、製品ごとの用法、施行法、利用事例又は応用事例、情報提供者名が記録される。【００１７】  利用者または顧客情報６には、該製品の顧客名又は使用者名、購入日又は利用開始日、連絡先が記入される。上記において、事業者コードのみならず、それぞれの情報はキーワード検索を実現するコンピュータプログラムが用意されていることは言うまでもない。【００１８】  図２ａは当該事業者が一元管理して、排出事業者及び製造時業者に予め支給する、所定枚数の帳票７、例えば製造指示書、納品書、物品受領書、請求書、荷札、あるいは現品に順次貼り付けるために、予め用意されている排出事業者管理シール又は製造事業者管理シールを示す図であって、所定枚数分の同一事業者名と同一ロット番号が記載されたシール９は剥離容易性を有する台紙８に予め貼りこまれており、残余のシールが貼られた台紙は帳票に添付されて次に移動して、次の帳票に貼り付けられる。【００１９】  図２ｂはシール９の拡大図であって、事業者識別コード１０及び該事業者が管理するロット番号１１が目視可能な記号又は数字で記載されている。また、機械可読な、例えば、バーコードや二次元コードなどによる情報を追記してもよい。
【産業上の利用の可能性】
【００２０】  一般にはなじみのない下水汚泥と、汚泥から製造、又は加工される製品の情報を広く一般に開示することによって、汚泥から製造、又は加工される製品の需要を喚起して、高度な資源再循環社会の実現に貢献するものである。
【図面の簡単な説明】
【００２１】
【図１】情報格納手段内のファイル構造を示す図である。（実施例１）
【図２】   【ａ】所定の枚数の帳票と台紙に貼り付けられた所定枚数分のシールを示す図である。（実施例１）  【ｂ】シールの記載例を示す拡大図である。
【符号の説明】
【００２２】１  排出事業者情報
２  製品化技術情報
３  製品情報
４  物流情報
５  利用技術情報
６  利用者または顧客情報
７  所定の帳票
８  台紙
９  シール
１０  排出事業者コード又は製造事業者コード
１１  ロット番号
【図１】
2005149448.tif 000003
【図２】
2005149448.tif 000004